(57)【要約】スポーツの練習における筋肉組織の振動を制限するために、圧縮を行いつつ身体にフィットする弾性繊維を含むスポーツの練習用に提供される下着であって、異なる弾性レベルを有する領域（１０２、１０４、１０６、１１２、１１４、１１６、１３２、１３４、１４２ａ、１４２ｂ、１４４）を有し、このような筋肉組織が当初からより大きな振動を呈する場合のより高度の圧縮を含め、これらの領域の各々がそれらが覆う筋肉組織に適応した圧縮レベルを与えることを特徴とする下着。【選択図】図３ｂ
2017536487.tif 000002
【特許請求の範囲】
【請求項１】
スポーツの練習における筋肉組織の振動を制限するために、圧縮を行いつつ身体にフィットする弾性繊維を含むスポーツの練習用に提供される下着であって、異なる弾性レベルを有する複数の領域（１０２、１０４、１０６、１１２、１１４、１１６、１３２、１３４、１４２ａ、１４２ｂ、１４４）を有し、筋肉組織が当初からより大きな振動を呈する場合のより高い圧縮を含めて、複数の領域の各々は、カバーする前記筋肉組織に適応した圧縮レベルを与えることを特徴とする下着。
【請求項２】
前記より高い圧縮の領域が、前記弾性繊維の上に材料の被着物を有することを特徴とする、請求項１に記載の下着。
【請求項３】
前記材料の被着物が、メッシュ（１２０）を含むパターンによる、前記より高い圧縮の領域にあるシリコーンの被着物であることを特徴とする、請求項２に記載の下着。
【請求項４】
前記シリコーンが、シルクスクリーンプリントプロセスによって生成されるパターンに従って被着されることを特徴とする、請求項３に記載の下着。
【請求項５】
前記弾性繊維が、ポリアミド及びエラステインをベースにしたジャージスティッチニットであることを特徴とする、請求項１乃至請求項４のいずれか１項に記載の下着。
【請求項６】
前記弾性繊維の織り幅が、前記下着の高さに一致して配列されることを特徴とする、請求項５に記載の下着。
【請求項７】
最も高いレベルを有する前記圧縮の領域が、前記下着の高さの方向において、１５Ｎの荷重に対して４０％から６０％の伸張率を有し、幅の方向において１５Ｎの荷重に対して５５％から７５％の伸張率を有し、これらの測定はＢＳ  ４９５２標準に従って行われていることを特徴とする、請求項１乃至請求項６のいずれか１項に記載の下着。
【請求項８】
脚のところにあってほぼ膝に達する低い圧縮の下方領域（１０２、１３２）と、それより上の頂部に達する高い圧縮の上方領域（１０６、１３４）と、を有するパンツの形態（１００、１３０）であることを特徴とする、請求項１乃至請求項７のいずれか１項に記載の下着。
【請求項９】
前記低い圧縮の領域（１０２）と前記高い圧縮の領域（１０６）の間で、基本的に膝のレベルにおいて、脚の間で内側に向かって上昇する帯（１０４）の形態で中間の圧縮の領域を有することを特徴とする、請求項８に記載の下着。
【請求項１０】
上部において基本的に下方に向けて胸郭の中央に達し、かつ腕のところにある低い圧縮の上方領域（１１２、１４２ａ）と、それより下のより高い圧縮の１つまたは複数の下方領域（１１４、１１６、１４４）と、を有するジャージ（１１０、１４０）の形態であることを特徴とする、請求項１乃至請求項７のいずれか１項に記載の下着。
【請求項１１】
前面及び背面の中心で胸郭の中央の高さのところに、中間または高レベルの圧縮を与え、下方に傾斜する部分によって各側で完成した基本的に水平方向の帯を有する下方領域（１１４、１４４）を有することを特徴とする、請求項１０に記載の下着。
【発明の詳細な説明】
【技術分野】
【０００１】
本発明は、快適さとパフォーマンスを改善するために提供されるスポーツの練習用の下着に関する。
【背景技術】
【０００２】
スポーツ活動の練習において、速い速度で反復される運動は、筋肉、脂肪成分及び皮膚を含め、総じて身体の筋肉組織の振動を招く。このような振動は、行われるスポーツ及び人間に応じて、詳細には性別、年齢、身長及び体重に応じて筋肉によって変化し得る。
【０００３】
筋肉組織の振動は、スポーツ活動に必要な労力の他に、このような状況に耐えるための付加的なエネルギーを筋肉に要求し、これはこのような筋肉をより早く疲れさせ、スポーツのパフォーマンスのためにとっておくエネルギーを制限することになる。
【０００４】
さらに筋肉の表皮に微小な傷が生じる可能性もあり、これが筋肉をより一層疲労させる。
【０００５】
医学的理由のために手足のきっちりとした保持を行うためにサポート下着の生産が知られており、詳細には一定かつ均一な手足のきっちりとした保持を全体的に行う弾性繊維を有する脚用のサポートストッキングが知られている。
【０００６】
このような手足のきっちりとした保持は、表面の静脈網を締めつけ、とりわけ血栓症につながる恐れがある浮腫の形成を制限する。しかしながらこのような下着は、スポーツのパフォーマンスを高めるにはふさわしくない。
【０００７】
さらに既知のタイプの下半身用のスポーツ用下着は、パンツの形態であり、具体的には文献ＵＳ−Ａ１−２０１４０５９７４１に示されており、脚に沿って配置された垂直方向の弾性の帯を有し、この帯がこの方向において付加的なサポートを行うことで脚の筋肉疲労を軽減することが可能である。
【０００８】
しかしながら脚に沿った弾性の帯を備えるこの種のパンツは、とりわけ各種の筋肉に対して、このような筋肉の各々の反応を最適な実現可能な範囲になるように最適化するために、それに適したきっちりとした保持レベルに適応させることはできない。
【０００９】
本発明はとりわけ、従来技術のこういった欠点を回避することを目的としている。
【００１０】
この目的のために、本発明はスポーツの練習用に提供される下着を提案しており、これは、スポーツの練習の際、筋肉組織の振動を制限するために圧縮を行いつつ身体にフィットする（ぴったり合う）弾性繊維を含んでおり、それは異なる弾性レベルを有する領域を有し、このような領域の各々が、このような筋肉組織が当初からより大きな振動を呈する場合のより高い圧縮を含め、それらが覆う筋肉組織に適応した圧縮レベルを与えることを特徴とする。
【００１１】
この下着の利点は、各々がスポーツの練習における筋肉組織の振動の度合いに一致する異なる領域を人体に正確に画定し、次いで、振動を適切に抑制するために弾性繊維の伸張率及び過敏性のレベルをこのような領域の各々に対して適応させることが可能であることである。
【００１２】
よって最も大きな振動を呈する筋肉量をより大きな範囲まで制限することが可能であり、これらの領域は、このような筋肉量に自由に適応された形状を有することで下着の快適さを保証している。
【００１３】
このような衣類は身体的な回復を高め、すなわち良好な体の状態をより迅速に、及びそれ故に間接的に取り戻し、その性能は、スポーツの練習をより早く再開することができ、それ故により多くの回数行うことができる程度まで改善され、これにより大きな成果を誘い、それ故により優れた身体パフォーマンスを生じさせることができる。
【００１４】
本発明による下着はさらに、併せて組み合わせることができる以下の特徴の１つまたは複数を有することができる。
【００１５】
有利には、より高い圧縮の領域は、弾性繊維上にシリコーン被着物を有する。シリコーンは、大きな弾性と強度の過敏性を有する材料であり、これはさらに弾性繊維上に容易に被着され装着される。圧縮は、他の方法によって、例えばシリコーン以外の樹脂の添加、接着剤または追加の材料、あるいはとりわけ、より高い圧縮領域において弾性を強化する材料強化タイプの任意の他の適応によって与えられる場合もある。
【００１６】
このような場合、有利には、例えばより高い圧縮の領域におけるシリコーンの被着物は、好ましくは六角形または任意の他の既知の幾何学形状、例えば三角形などのメッシュを含むパターンを形成する。このようなメッシュは、その厚さを調節することによって同時に弾性のレベルを設定することを可能にする装飾部を形成する。
【００１７】
有利には、シリコーンは、シルクスクリーンプリントプロセス（シルクスクリーン印刷工程）によって生成されるパターンに従って被着される。このプロセスは、変化するパターンを形成するのを容易にする。
【００１８】
有利には、弾性繊維はポリアミド及びエラステインをベースにしたジャージースティッチニット（ジャージー縫い編み物）である。この種の繊維は、優れた弾性レベルを有し、着用するのが快適である。
【００１９】
この場合、弾性繊維の織り幅は有利には、下着の高さに一致して配列されるが、伸張度及び係数が同様であるという条件で、幅の方向に配列される場合もある。よって筋肉組織の最大の振動の方向を表す高さの方向でより大きな圧縮が得られる。
【００２０】
詳細には、下着の高さの方向における最高レベルを含めた圧縮の領域は、１５Ｎの荷重に対しておおよそ４９％、詳細には４０％から６０％の伸張率であり、幅の方向では１５Ｎの荷重に対しておおよそ６６％、詳細には５５％から７５％の伸張率であり、これらの測定値は、ＢＳ  ４９５２標準に従って行われている。これらの値は、最も大きな振動を有する筋肉組織の優れた圧縮レベルを与える。
【００２１】
一実施形態によると、この下着は、膝まで伸び、脚のところにある低い圧縮の下方領域と、頂部まで伸び、それより上の高い圧縮の上方領域とを有するパンツの形態である。よって対応する筋肉組織の運動に適応した領域を有する。
【００２２】
さらにパンツは、低い圧縮の領域と高い圧縮の領域の間で、基本的に膝のレベルにおいて、脚の間で内側に向かって上昇する帯の形態で中間の圧縮の領域を有することができる。
【００２３】
別の実施形態によると、下着は、基本的に胸郭の中央まで下方に伸び、かつ腕のところにある上部における低い圧縮の上方領域と、それより下のより高い圧縮の１つまたは複数の下方領域とを有するジャージの形態である。この場合も同様に、対応する筋肉組織の運動に適応した領域が存在する。
【００２４】
加えて、ジャージは、前面及び背面の中心で胸郭の中央の高さのところに、中間または高レベルの圧縮を与え、下方に傾斜する部分によって各側で完成した基本的に水平方向の帯を含む下方領域を有することができる。
【００２５】
添付の図面を参照して、以下に一例として提供される記載を読むことによって、本発明は、さらに最適に理解され、他の特徴及び利点もより明白になるであろう。
【図面の簡単な説明】
【００２６】
【図１ａ】前面からの人体の筋肉を示す。
【図１ｂ】背面からの人体の筋肉を示す。
【図２ａ】前面からの人体における、ランニングを行う際の筋肉組織の振動の３つのレベルに相当する領域を示す。
【図２ｂ】背面からの人体における、ランニングを行う際の筋肉組織の振動の３つのレベルに相当する領域を示す。
【図３ａ】３つの弾性レベルを有する本発明によるパンツまたは「レギンス」の前面を示す。
【図３ｂ】３つの弾性レベルを有する本発明によるパンツまたは「レギンス」の背面を示す。
【図４ａ】３つの弾性レベルを有する本発明によるジャージまたは「Ｔシャツ」の前面を示す。
【図４ｂ】３つの弾性レベルを有する本発明によるジャージまたは「Ｔシャツ」の背面を示す。
【図５】その弾性レベルを適応させるために弾性繊維の上に塗布されたシリコーンカバーパターンを示す。
【図６ａ】２つの弾性レベルを有する一変形形態によるパンツまたは「レギンス」の前面を示す。
【図６ｂ】２つの弾性レベルを有する一変形形態によるパンツまたは「レギンス」の背面を示す。
【図７ａ】２つの弾性レベルを有する一変形形態によるジャージまたは「Ｔシャツ」の前面を示す。
【図７ｂ】２つの弾性レベルを有する一変形形態によるジャージまたは「Ｔシャツ」の背面を示す。
【発明を実施するための形態】
【００２７】
図１ａは、前面から見た人体を示しており、人体は、各々の脚に以下の筋肉を有しており、底部から始めて短腓骨筋２、前脛骨筋４、内側広筋６、外側広筋８、大腿直筋１０、長内転筋１２、縫工筋１４、大腿筋膜張筋１６、ならびに脚の内側に向かって大内転筋１８、薄筋２０、恥骨筋２２及び腸腰筋２４を有する。
【００２８】
人体は、上半身に以下の筋肉を有しており、底部から始めて腹部外斜筋（外腹斜筋）２６、腹直筋２８、前鋸筋３０、大胸筋３２及び三角筋３４である。人体は、各腕に手から始めて尺側手根屈筋３６、長掌筋３８、上腕撓骨筋４０、上腕筋４２及び上腕二頭筋４４を有する。
【００２９】
図１ｂは、背面からみた人体を示しており、人体は、各々の脚に以下の筋肉を有しており、底部から始めてヒラメ筋５０、長腓骨筋５２、腓腹筋５４、足底筋５６、半膜様筋５８、半腱様筋６０、大腿二頭筋６２、大臀筋６４及び中臀筋６６を有する。
【００３０】
人体は上半身に以下の筋肉を有しており、底部から始めて、広背筋６８、棘下筋膜７０及び僧帽筋７２を有する。人体は各腕に手から始めて尺側手根伸筋８０、肘筋８２、上腕三頭筋８４、大円筋８６及び小円筋８８を有する。
【００３１】
図２ａ及び図２ｂは、ランニングを行う際の筋肉組織の異なる振動レベルを示しており、これはセンサによって異なる性別、年齢、身長及び体重を表す人々のサンプルに対して測定された。運動は３方向で測定され、このスポーツの場合、運動は一般に垂直方向でより大きくなる。
【００３２】
このような運動は、筋肉の収縮に左右され、動きは筋肉が緩んでいるときにより大きくなる。
【００３３】
１５ｍｍ未満の小さな振動が、膝８０より下の脚の裏側及び背中の中心８２で捕らえられる。１５から２５ｍｍの間の中間の振動が、下部胸郭及び腹部８４の中心、背中の下部８６及び上腕８８、ならびに内側に向く脚の上部の裏側９８で捕らえられる。２５ｍｍを超える大きな振動が、前面では、骨盤９０を含めた脚の上部及び腹部の両脇９２で捕らえられ、背面では脚の側面９４及び背中の両側９６で捕らえられる。
【００３４】
図３ａ及び図３ｂは、弾性繊維から作製されたパンツ１００を示しており、これは、この繊維の材料、この繊維がどのように作られたか、及びこの繊維の特定の領域にシリコーンを塗布することによって下半身の圧縮を同時に生み出す。この繊維単独では、低レベルの圧縮を与え、シリコーンと繊維を組み合わせることで、そのパターンに応じて中間レベル及び高レベルの圧縮を与える。
【００３５】
繊維は、ポリアミドとエラステインをベースとしたジャージスティッチニットであり、詳細には７８％のポリアミドと２２％のエラステインを含んでいる。坪量は、１平方メートル当たり２００ｇである。織りの長さ方向で、それは１５Ｎの荷重に対して７７％の伸張率を有し、３０％の力に対して２３３ｃＮの係数を有する。織りの幅方向で、それは１５Ｎの荷重に対して５９％の伸張率を有し、３０％の力に対し１０７ｃＮの係数を有する。これらの測定は、ＢＳ４９５２標準に従って行われる。
【００３６】
筋肉の振動は、高さの方向でより大きくなるため、製造に関して、この方向におけるこの繊維のより大きな剛さの利点を得るために、パンツ１００の高さの方向に繊維の幅を配置することが有利である。さらに幅の方向においてはより大きな弾性が得られ、これによってこの製品をより快適に素早く身につけることが可能になる。
【００３７】
パンツ１００は脚のところに、低レベルの圧縮を与えるシリコーンを含まない繊維を特徴とする下方領域１０２を有し、この領域はほぼ膝まで伸びており、内側に向かって上昇しており、前面で基本的に短腓骨筋２及び前脛骨筋４を覆い、背面で基本的にヒラメ筋５０、長腓骨筋５２、腓腹筋５４を覆う。
【００３８】
次いでそれより上では、パンツ１００は、帯の形態の中間領域１０４を有し、これもまた脚の間の内側に向かって上昇しており、ほぼ股のところまで来ており、中間レベルの圧縮を与えるシリコーンを有する繊維を特徴としており、これは基本的に足底筋５６、半膜様筋５８、半腱様筋６０を覆う。
【００３９】
最後にそれより上では、パンツ１００は、高レベルの圧縮を与えるシリコーンを有する繊維を特徴としたウエストまで伸びる上方領域１０６を有し、これは前面で基本的に内側広筋６、外側広筋８、大腿直筋１０、長内転筋１２、縫工筋１４、大内転筋１８、薄筋２０、恥骨筋２２及び腸腰筋２４を覆う。この上方領域１０６は背面で基本的に大腿二頭筋６２及び大臀筋６４の筋肉を覆う。
【００４０】
図４ａ及び図４ｂは、同一の弾性繊維から作製されたジャージ１１０を示しており、これは、この繊維の材料、この繊維がどのように作られたか、及び３つの圧縮レベルを与えるために特定の領域にシリコーンを塗布することにより同様のやり方で上半身の圧縮を同時に生み出す。
【００４１】
製造に関して、この方向における大きな剛さの利点を得るため、及びこの製品を素早く身につけやすくするために、繊維の幅はここでもジャージ１１０の高さの方向に配置される。
【００４２】
ジャージ１１０は、胸郭の中央まで下方にかつ袖のところに広がる上部に、低レベルの圧縮を与えるシリコーンを含まない繊維を特徴とする上方領域１１２を有し、これは基本的に大胸筋３２、三角筋３４、棘下筋膜７０、僧帽筋７２、大円筋８６、小円筋８８及び腕の全ての筋肉を覆う。
【００４３】
次いでジャージ１１０はこれより下に、中間領域１１４を有し、これは前面及び背面の中心及び胸郭の中央の高さのところに、この胸郭より下までくる下方に傾斜する部分によって各側で完成した基本的に水平方向の薄い帯を有しており、これは中間レベルの圧縮を与えるシリコーンを含む繊維を特徴としている。中間領域１１４は基本的に腹直筋２８及び前鋸筋３０を覆う。
【００４４】
最後にジャージ１１０はそれより下で各々の側に、高レベルの圧縮を与えるシリコーンを含む繊維を特徴とする、ウエストまで下方に伸びる下方領域１１６を有しており、この下方領域は基本的に前面で腹部外斜筋２６及び背面で広背筋６８を覆う。
【００４５】
図５は、中間及び高圧縮の領域のためのシリコーンを含んで生成されるパターンを示しており、１０ｍｍ程の幅Ｌと、１５ｍｍ程の高さＨを有する六角形１２０に一致するメッシュを含んでいる。
【００４６】
有利には、中間及び高圧縮の領域は、このようなパターンの厚さＥを中間圧縮の場合は２ｍｍ、高圧縮の場合は３ｍｍに適応させることによって区別され、これにより外観及び製造手段を同じ状態のまま維持することが可能になる。
【００４７】
有利には皮膚との反応を避けるための医療タイプの材料である、１０から４０のショアＡ硬度を有する２成分シリコーンを使用するのが好ましい。
【００４８】
シリコーンは詳細には、所望のパターンを得るために、シルクスクリーンプリント処理によって布地の上に被着させることができ、このプロセスによってシリコーンを布地に埋め込むことが可能になり、これによりその過敏性を高め、すなわちその最初の位置に戻る力を高める。
【００４９】
弾性繊維を強化するためのシリコーンが裂けるまでの伸張率は、この繊維のものより大きいため、この場合大きく引き伸ばすような場合でも、このようなシリコーンを損傷するリスクは全くない。
【００５０】
中間圧縮の領域に関して、この製品の高さ方向に１５Ｎの荷重に対して５４％の伸張率を有し、３０％の力に対して５６０ｃＮの係数を有する弾性繊維を調達する。幅方向では、それは１５Ｎの荷重に対して７２％の伸張率を有し、３０％の力に対して４２０ｃＮの係数を有する。これらの測定は、ＢＳ４９５２標準に従って行われる。
【００５１】
中間圧縮のこの領域に関して、２方向においてこの繊維の低下した伸張率及び増大した剛さ、ならびにより優れた過敏性を有することが観察される。
【００５２】
高圧縮の領域に関して、この製品の高さ方向に１５Ｎの荷重に対し４９％の伸張率を有し、３０％の力に対して６４０ｃＮの係数を有する弾性繊維を調達する。それは幅方向では、１５Ｎの荷重に対し６６％の伸張率を有し、３０％の力に対して４２０ｃＮの係数を有する。これらの測定は、ＢＳ４９５２標準に従って行われる。
【００５３】
高圧縮のこの領域に関して、さらに大きな剛さを有する。
【００５４】
図６ａ、図６ｂ、図７ａ、図７ｂは、２つの圧縮領域のみを有するパンツ１００及びジャージ１１０を示しており、弾性繊維のみを含む低圧縮の領域と、上記に示した最も高い圧縮を生み出すためにシリコーンを受け入れる繊維を含む高圧縮領域とを有する。
【００５５】
製造に関して、この方向におけるより大きな剛さの利点を得るため、及びこれらの製品を素早く身につけやすくするために、繊維の幅はここでもパンツ１００及びジャージ１１０の高さ方向に配置される。
【００５６】
図６ａ及び図６ｂは、各脚のところに低レベルの圧縮を与えるシリコーンを含まない繊維を特徴とする下方領域１３２を有するパンツ１３０を示しており、この領域は、ほぼ膝まで伸びており、かつ膝も含まれており、外側に向かってわずかに上昇しており、基本的に前面で短腓骨筋２及び前脛骨筋４を覆い、背面で基本的にヒラメ筋５０、長腓骨筋５２及び腓腹筋５４を覆う。
【００５７】
パンツ１３０はそれより上に、高レベルの圧縮を与えるシリコーンを有するウエストまで伸びる上方領域１３４を有し、この領域は基本的に前面で、内側広筋６、外側広筋８、大腿直筋１０、長内転筋１２、縫工筋１４、大内転筋１８、薄筋２０、恥骨筋２２及び腸腰筋２４を覆い、背面では足底筋５６、半膜様筋５８、半腱様筋６０、大腿二頭筋６２及び大臀筋６４を覆う。
【００５８】
図７ａ及び図７ｂは、胸郭の中央まで下方にかつ袖のところに広がる上部に、低レベルの圧縮を与えるシリコーンを含まない繊維を特徴とする上方領域１４２ａを有し、この領域は基本的に前鋸筋３０、三角筋３４、棘下筋膜７０、僧帽筋７２、大円筋８６、小円筋８８及び腕の全ての筋肉を覆う。
【００５９】
ジャージ１４０はまた、腹部の中央及び底部まで下がる背面に、低レベルの圧縮を与えるシリコーンを含まない繊維の２つの下方の中心領域１４２ｂを有する。
【００６０】
最後にジャージ１４０は、前面及び背面の中心に、かつ胸郭の中央の高さのところに、底部まで下がる下方に傾斜する部分によって各側で完成した基本的に水平方向の薄い帯を有する下方領域１４４を有しており、これは高レベルの圧縮を与えるシリコーンを含む繊維を特徴としている。この下方領域１４４は基本的に前面で腹部外斜筋２６、腹直筋２８及び前鋸筋３０を覆い、背面で広背筋６８を覆う。
【００６１】
実際の方法において、この種の下着を使用した場合と、この種の下着を使用しない場合の同一人物に対して行われた同様の測定は、２０から４０％の筋肉組織の振動のレベルに関する改善を示した。故にこのような下着によって筋肉の運動の明らかな抑制が得られ、これは消費されるエネルギーを減少させ、快適さを高め、スポーツのパフォーマンスを高めることを可能にする。
【００６２】
一般的なやり方において、本発明によって、この下着に対して、繊維の異なる圧縮レベルに相当するように数が変化した領域、すなわち３つを超える領域を形成し、覆うべき筋肉にとりわけ適応した外形を形成することも可能である。詳細には、特有のやり方で快適さならびにスポーツのパフォーマンスを最適化するために、とりわけそのタイプ、その年齢、その身長及びその体重によって異なるカテゴリの人向けに用意された下着を製造することも可能である。
【符号の説明】
【００６３】
１００    パンツ
１０２    下方領域
１０４    中間領域
１０６    上方領域
１１０    ジャージ
１１２    上方領域
１１４    中間領域
１１６    下方領域
１２０    六角形
１３０    パンツ
１３２    下方領域
１３４    上方領域
１４０    ジャージ
１４２ａ  上方領域
１４２ｂ  中心領域
１４４    下方領域
【図１ａ】
2017536487.tif 000003
【図１ｂ】
2017536487.tif 000004
【図２ａ】
2017536487.tif 000005
【図２ｂ】
2017536487.tif 000006
【図３ａ】
2017536487.tif 000007
【図３ｂ】
2017536487.tif 000008
【図４ａ】
2017536487.tif 000009
【図４ｂ】
2017536487.tif 000010
【図５】
2017536487.tif 000011
【図６ａ】
2017536487.tif 000012
【図６ｂ】
2017536487.tif 000013
【図７ａ】
2017536487.tif 000014
【図７ｂ】
2017536487.tif 000015
【国際調査報告】
2017536487.tif 000016
2017536487.tif 000017
2017536487.tif 000018